(57)【要約】【課題】経年変化による断熱性能の低下が少なく、施工が容易で、しかも床小梁における熱橋を防止し得る床断熱構造およびその施工方法を提供する。【解決手段】方形枠状の床フレームに金属製床小梁１４を相互に間隔をあけて複数本架設状に設け、床小梁１４上に根太を介在させることなく床下地パネル２３を敷設し、隣接する床小梁１４間において床下地パネル２３の下側に床断熱材２２を配置してなる床断熱構造２０であって、床断熱材２２から下側に露出する床小梁１４の下部を覆う被覆部２５と、床断熱材２２を下側から支持する支持部２６とを有する発泡樹脂成形体からなる床小梁断熱材２１を設けた。【選択図】図２
2007321532.tif 000002
【特許請求の範囲】
【請求項１】
方形枠状の床フレームに金属製床小梁を相互に間隔をあけて複数本架設状に設け、床小梁上に根太を介在させることなく床下地パネルを敷設し、隣接する床小梁間において床下地パネルの下側に床断熱材を配置してなる床断熱構造であって、
前記床断熱材から下側に露出する床小梁の下部を覆う被覆部と、床断熱材を下側から支持する支持部とを有する発泡樹脂成形体からなる床小梁断熱材を設けた、
ことを特徴とする床断熱構造。
【請求項２】
前記被覆部の上端部から側方へ突出させて支持部を形成した請求項１記載の床断熱構造。
【請求項３】
前記被覆部の上面に支持部を形成した請求項１記載の床断熱構造。
【請求項４】
前記支持部に床断熱材の下面に当接する突起を形成し、突起に対応する位置における床断熱材の弾性変形を利用して、床断熱材を床下地パネルに密接させた請求項１〜３のいずれか１項記載の床断熱構造。
【請求項５】
前記床断熱材の少なくとも一方の側部に、床断熱材の上面側または下面側から厚さ方向の途中部まで延びるスリットを全長にわたって形成し、該スリットを利用して床断熱材の側部を弾性変形させて、床断熱材の側面を床小梁の側面に密接させた請求項１〜４のいずれか１項記載の床断熱構造。
【請求項６】
方形枠状の床フレームに金属製床小梁を相互に間隔をあけて複数本架設状に設け、床小梁上に根太を介在させることなく床下地パネルを敷設し、隣接する床小梁間において床下地パネルの下側に床断熱材を配置してなる床断熱構造であって、
前記床断熱材として、隣接する床小梁間に配置される本体部と、本体部から下側へ露出する床小梁の下部を覆う被覆部とを有する発泡樹脂成形体からなる床断熱材を用いた、
ことを特徴とする床断熱構造。
【請求項７】
前記本体部の両側部に被覆部を設け、本体部の一側部に設けた第１被覆部は、床小梁の側面に沿ってその下端部まで延びる側壁部を有し、本体部の他側部に設けた第２被覆部は、床小梁の側面に沿ってその下端部まで延びる側壁部と、側壁部から床小梁の下面に沿って延び、隣接する床断熱材の第１被覆部における側壁部の下端部を支持する下壁部とを有する請求項６記載の床断熱構造。
【請求項８】
前記下壁部の上面に、隣接する床断熱材の側壁部の下端に当接する突起を形成し、突起に対応する位置における側壁部の弾性変形を利用して、床断熱材を床下地パネルに密接させた請求項７記載の床断熱構造。
【請求項９】
前記本体部の両側部に、床小梁の側面に沿ってその下端部まで延びる側壁部と、側壁部から床小梁の下面に沿ってその途中部まで延びる下壁部とをそれぞれ有する被覆部を設けるとともに、下壁部の端部に、隣接する床断熱材の下壁部の端部に組み合わされる嵌合部を形成した請求項６記載の床断熱構造。
【請求項１０】
前記本体部の少なくとも一方の側部に、本体部の上面側または下面側から厚さ方向の途中部まで延びるスリットを全長にわたって形成し、該スリットを利用して本体部の側部を弾性変形させて、本体部の側面を床小梁の側面に密接させた請求項６〜９のいずれか１項記載の床断熱構造。
【請求項１１】
前記請求項１〜５のいずれか１項記載の床断熱構造の施工方法であって、床小梁の下部に下側から床小梁断熱材を組み付け、次に隣接する床小梁間にその上側から床断熱材を嵌め込んで、床断熱材の両側部を床小梁断熱材の支持部上に載置し、次に床断熱材と床小梁とにわたってその上側に床下地パネルを敷設することを特徴とする床断熱構造の施工方法。
【請求項１２】
前記請求項６〜１０のいずれか１項記載の床断熱構造の施工方法であって、被覆部により床小梁の下部が覆われ、本体部が隣接する床小梁間に嵌め込まれるように、床小梁の下側から床断熱材を組み付け、次に床断熱材と床小梁とにわたってその上側に床下地パネルを敷設することを特徴とする床断熱構造の施工方法。
【発明の詳細な説明】
【技術分野】
【０００１】
本発明は、鉄骨構造体からなる建物ユニットに好適に利用可能な床断熱構造およびその施工方法に関する。
【背景技術】
【０００２】
建築物の施工方法として、鉄骨構造体からなる建物ユニットを工場にて製作し、これを施工現場へ輸送して、施工現場において複数の建物ユニットを組み合わせて建築物を組み立てる施工方法が知られている。建物ユニットとしては、床梁材を枠状に接合してなる床フレームと、天井梁材を枠状に接合してなる天井フレームと、天井フレームを床フレームの上方に固定支持する柱材と、床梁材のうちの平行配置される１対の妻床梁間に設定間隔おきに架設状に複数設けた床小梁と、床小梁の上側において１対の桁床梁間に設定間隔おきに架設状に複数設けた根太とを備え、床梁材と天井梁材と柱と床小梁と根太とを角形断面やＣ形断面の鉄骨で構成したものが実用化されている（例えば、特許文献１参照。）。また、室内空間を極力広く設定するため、根太を省略して床小梁上に直接的に床下地パネルを敷設施工したものも提案されている。
【０００３】
ところで、前述のような根太を省略した建物ユニットにおける床断熱構造としては、隣接する床小梁間の空間を閉塞するように床小梁の下部間に支持板を固定し、支持板上にグラスウールからなる床断熱材を敷設し、床小梁と床断熱材とにわたってその上側に床下地パネルを敷設したものが実用化されている。
【０００４】
一方、木造建築物の床構造として、鋼製束で支持された金属製大引き上に、根太を介することなく合板製の床下地パネルを直接的に敷設してなる、所謂根太レス工法による床構造が、施工作業を簡略にでき、しかも室内空間を大きく設定できることから、最近注目されている。このような根太レス工法を用いた床断熱構造としては、押し出し法にて成形したポリスチレン発泡体からなるＵ字状断面の大引き断熱部材を大引きの下部にその全長にわたって嵌合固定し、押し出し法にて成形したポリスチレン発泡体からなる平板状の床断熱材の両側部を大引き断熱部材の上端部に支持させて、隣接する大引き間に床断熱材を敷設し、合板からなる床下地パネルを大引きと床断熱材とにわたって敷設した床断熱構造が提案されている（例えば、特許文献２参照。）。
【０００５】
【特許文献１】特開２００６−２３６２号公報
【特許文献２】特開２００５−３６４３７号公報
【発明の開示】
【発明が解決しようとする課題】
【０００６】
前記建物ユニットの床断熱構造のように、グラスウールからなる床断熱材を用いると、経年変化により床断熱材がヘタってその厚さが薄くなり、断熱性能が低下するという問題がある。また、床小梁が金属材料で構成されていることから、床断熱材から下側へ露出する床小梁の下半部における熱橋で、断熱性能が低下したり、床小梁の下半部外面に結露が発生したりするという問題がある。
【０００７】
また、特許文献２記載の床断熱構造は、鋼製大引きを用いた木造建築物の床断熱構造に関するものであり、特許文献１記載のような建物ユニットへの適用については想定されていない。しかも、床下地パネルと床断熱材間に隙間が形成されることがあり、該隙間により断熱性能が低下するという問題もある。
【０００８】
本発明の目的は、経年変化による断熱性能の低下が少なく、施工が容易で、しかも床小梁における熱橋を防止し得る床断熱構造およびその施工方法を提供することである。
【課題を解決するための手段】
【０００９】
本発明に係る第１の床断熱構造は、方形枠状の床フレームに金属製床小梁を相互に間隔をあけて複数本架設状に設け、床小梁上に根太を介在させることなく床下地パネルを敷設し、隣接する床小梁間において床下地パネルの下側に床断熱材を配置してなる床断熱構造であって、前記床断熱材から下側に露出する床小梁の下部を覆う被覆部と、床断熱材を下側から支持する支持部とを有する発泡樹脂成形体からなる床小梁断熱材を設けたものである。
【００１０】
第１の床断熱構造を施工する際には、例えば、床小梁の下部に下側から床小梁断熱材を組み付け、次に隣接する床小梁間にその上側から床断熱材を嵌め込んで、床断熱材の両側部を床小梁断熱材の支持部上に載置し、次に床断熱材と床小梁とにわたってその上側に床下地パネルを敷設して、床断熱構造を施工することになる。この床断熱構造では、隣接する床小梁間の断熱性能が床小梁間に装填された床断熱材により確保され、また床小梁における断熱性能が床小梁断熱材により確保されるので、床全体の断熱性能を十分に確保することができる。また、床小梁の側面と下面とが床断熱材と床小梁断熱材とで覆われて、床小梁が湿気の多い床下側に露出しないので、床小梁の側面や下面における結露の発生を効果的に防止できる。更に、床小梁断熱材の支持部により床断熱材を支持するので、床断熱材を安定的に敷設することができる。更にまた、床断熱材として外面に凹凸を有しない平坦な板状の汎用品を採用できるので、輸送時や保管時において、床断熱材が嵩高くなることを防止できる。また、床断熱材を発泡樹脂成形体で構成することで、経年変化によってその厚さが殆ど変化しないので、断熱性能を長期にわたって維持することができる。
【００１１】
ここで、前記第１の床断熱構造において、前記支持部は、前記被覆部の上端部から側方へ突出させて形成することもできるし、前記被覆部の上面に形成することもできる。前者の場合には、幅の広い支持部により床断熱材を安定支持することができる。また、後者の場合には、支持部が被覆部から側方へ突出しないので、床断熱材の輸送性を向上できるとともに、輸送時等における支持部の破損を効果的に防止できる。
【００１２】
前記第１の床断熱構造において、前記支持部に床断熱材の下面に当接する突起を形成し、突起に対応する位置における床断熱材の弾性変形を利用して、床断熱材を床下地パネルに密接させることも好ましい実施の形態である。この場合には、床断熱材を床下地パネルに略隙間なく密接させて、床断熱構造の断熱性能を向上できる。また、床断熱材側には突起等を形成する必要がないので、床断熱材として外面に凹凸を有しない平坦な板状の汎用品を採用することができ、輸送時や保管時において、床断熱材が嵩高くなったり、床断熱材に形成した突起が破損したりするという不具合を防止できる。
【００１３】
前記第１の床断熱構造において、前記床断熱材の少なくとも一方の側部に、床断熱材の上面側または下面側から厚さ方向の途中部まで延びるスリットを全長にわたって形成し、該スリットを利用して床断熱材の側部を弾性変形させて、床断熱材の側面を床小梁の側面に密接させることも好ましい実施の形態である。このように構成すると、床小梁の施工誤差によるスパンのくるいを床断熱材の弾性変形により吸収して、床小梁間に無理なく床断熱材を装填できるとともに、床断熱材が床小梁に対して略隙間なく密着するので断熱性能を向上できる。
【００１４】
本発明に係る第２の床断熱構造は、方形枠状の床フレームに金属製床小梁を相互に間隔をあけて複数本架設状に設け、床小梁上に根太を介在させることなく床下地パネルを敷設し、隣接する床小梁間において床下地パネルの下側に床断熱材を配置してなる床断熱構造であって、前記床断熱材として、隣接する床小梁間に配置される本体部と、本体部から下側へ露出する床小梁の下部を覆う被覆部とを有する発泡樹脂成形体からなる床断熱材を用いたものである。
【００１５】
前記第２の床断熱構造を施工する際には、被覆部により床小梁の下部が覆われるとともに、本体部が隣接する床小梁間に嵌め込まれるように、床小梁の下側から床断熱材を組み付け、次に床断熱材と床小梁とにわたってその上側に床下地パネルを敷設して、床断熱構造を施工することになる。この床断熱構造では、隣接する床小梁間の断熱性能が床小梁間に装填された床断熱材の本体部により確保され、また床小梁における断熱性能が床断熱材の被覆部により確保されるので、床全体の断熱性能を十分に確保することができる。また、床小梁の側面と下面とが本体部と被覆部とで覆われて、床小梁が湿気の多い床下側に露出しないので、床小梁の側面や下面における結露の発生を効果的に防止できる。更に、被覆部を床断熱材に一体的に設けているので、部品点数を少なくして施工作業の作業性を向上できる。更にまた、床断熱材を発泡樹脂成形体で構成することで、経年変化によってその厚さが殆ど変化しないので、断熱性能を長期にわたって維持することができる。
【００１６】
前記第２の床断熱構造において、本体部の両側部に被覆部を設け、本体部の一側部に設けた第１被覆部は、床小梁の側面に沿ってその下端部まで延びる側壁部を有し、本体部の他側部に設けた第２被覆部は、床小梁の側面に沿ってその下端部まで延びる側壁部と、側壁部から床小梁の下面に沿って延び、隣接する床断熱材の第１被覆部における側壁部の下端部を支持する下壁部とを有するものも好ましい実施の形態である。この場合には、前記下壁部の上面に、隣接する床断熱材の側壁部の下端に当接する突起を形成し、突起に対応する位置における側壁部の弾性変形を利用して、床断熱材を床下地パネルに略隙間なく密接させることで、床断熱構造の断熱性能を向上できる。
【００１７】
前記第２の床断熱構造において、本体部の両側部に、床小梁の側面に沿ってその下端部まで延びる側壁部と、側壁部から床小梁の下面に沿ってその途中部まで延びる下壁部とをそれぞれ有する被覆部を設けるとともに、下壁部の端部に、隣接する床断熱材の下壁部の端部に組み合わされる嵌合部を形成することが好ましい実施の形態である。この場合には、両被覆部の本体部からの張り出し長さを同じに設定することができるので、床断熱材の取り扱い性を向上できる。
【００１８】
前記第２の床断熱構造において、本体部の少なくとも一方の側部に、本体部の上面側または下面側から厚さ方向の途中部まで延びるスリットを全長にわたって形成し、該スリットを利用して本体部の側部を弾性変形させて、本体部の側面を床小梁の側面に密接させることも好ましい実施の形態である。このように構成すると、床小梁の施工誤差によるスパンのくるいを床断熱材の弾性変形により吸収吸収して、床小梁間に無理なく床断熱材を装填できるとともに、床断熱材が床小梁に対して略隙間なく密着するので断熱性能を向上できる。
【００１９】
本発明に係る第１の床断熱構造の施工方法は、床小梁の下部に下側から床小梁断熱材を組み付け、次に隣接する床小梁間にその上側から床断熱材を嵌め込んで、床断熱材の両側部を床小梁断熱材の支持部上に載置し、次に床断熱材と床小梁とにわたってその上側に床下地パネルを敷設するものである。この施工方法により施工された第１の床断熱構造は、前記と同様の作用を有する。
【００２０】
本発明に係る第２の床断熱構造の施工方法は、被覆部により床小梁の下部が覆われ、本体部が隣接する床小梁間に嵌め込まれるように、床小梁の下側から床断熱材を組み付け、次に床断熱材と床小梁とにわたってその上側に床下地パネルを敷設するものである。この施工方法により施工された第２の床断熱構造は、前記と同様の作用を有する。
【発明の効果】
【００２１】
本発明に係る第１の床断熱構造およびその施工方法によれば、隣接する床小梁間の断熱性能が床小梁間に装填された床断熱材により確保され、また床小梁における断熱性能が床小梁断熱材により確保されるので、床全体の断熱性能を十分に確保することができる。また、床小梁の側面と下面とが床断熱材と床小梁断熱材とで覆われて、床小梁が湿気の多い床下側に露出しないので、床小梁の側面や下面における結露の発生を効果的に防止できる。更に、床小梁断熱材の支持部により床断熱材を支持するので、床断熱材を安定的に敷設することができる。更にまた、床断熱材として外面に凹凸を有しない平坦な板状の汎用品を採用できるので、輸送時や保管時において、床断熱材が嵩高くなることを防止できる。また、床断熱材を発泡樹脂成形体で構成することで、経年変化によってその厚さが殆ど変化しないので、断熱性能を長期にわたって維持することができる。
【００２２】
本発明に係る第２の床断熱構造およびその施工方法によれば、隣接する床小梁間の断熱性能が床小梁間に装填された床断熱材の本体部により確保され、また床小梁における断熱性能が床断熱材の被覆部により確保されるので、床全体の断熱性能を十分に確保することができる。また、床小梁の側面と下面とが本体部と被覆部とで覆われて、床小梁が湿気の多い床下側に露出しないので、床小梁の側面や下面における結露の発生を効果的に防止できる。更に、被覆部を床断熱材に一体的に設けているので、部品点数を少なくして施工作業の作業性を向上できる。更にまた、床断熱材を発泡樹脂成形体で構成することで、経年変化によってその厚さが殆ど変化しないので、断熱性能を長期にわたって維持することができる。
【発明を実施するための最良の形態】
【００２３】
以下、本発明の実施の形態について図面を参照しながら説明する。
図１は、鉄骨構造体からなる建物ユニット１０の床構造を示すもので、この建物ユニット１０は、２本の妻床梁１１と２本の桁床梁１２とを枠状に接合してなる床フレーム１３と、妻床梁１１間に設定間隔おきに架設状に設けた複数の床小梁１４と、床フレーム１３の四隅に立設した柱１５と、４本の柱１５の上端部に床フレーム１３と平行に支持した図示外の天井フレームとを備え、角形断面やＣ形断面の鉄骨を略直方体状に組み立てたものである。
【００２４】
建物ユニット１０の床断熱構造２０について説明すると、図１〜図３に示すように、平行配置された１対の妻床梁１１には長方形断面の鉄骨からなる床小梁１４が相互に間隔をあけて複数設けられ、各床小梁１４の下部には発泡樹脂成形体からなる床小梁断熱材２１がその全長にわたって設けられている。隣接する床小梁１４間には床断熱材２２が床小梁１４間を閉塞するように設けられ、床断熱材２２の両側面は床小梁１４の側面に略隙間なく圧接され、床断熱材２２の両側部は床小梁断熱材２１の支持部２６に支持されている。床断熱材２２及び床小梁１４の上側には根太を介在させることなく床下地パネル２３が略隙間なく敷設され、床断熱材２２と床小梁断熱材２１とで床下地パネル２３が断熱されるように構成されている。但し、木造建築物においても、床小梁１４に代えて金属製大引きを複数の鋼製束で支持し、この金属製大引き上に根太を介することなく床下地パネルを直接的に敷設してなる床構造に対しても本発明を同様に適用することができる。
【００２５】
床小梁１４は、例えば厚さ０．６ｍｍ〜２．０ｍｍの鋼板やアルミ板などの金属板を断面方形状に成形した中空の閉断面状の角筒部材で構成されている。
【００２６】
床下地パネル２３としては、根太を省略することによる床の強度剛性の低下を補償し得る強度剛性を有するものであれば、任意の構成のものを採用でき、例えば厚さ２０ｍｍ〜３０ｍｍのパーティクルボードなどの木質系や合成樹脂系などの板状部材を採用できる。本実施の形態では、床の強度剛性が十分に得られるように、厚さ２４ｍｍの合板を採用している。
【００２７】
床小梁断熱材２１は、ポリスチレン系樹脂発泡体、ポリプロピレン系樹脂発泡体、ポリエチレン系樹脂発泡体、ポリウレタン系発泡体、フェノール系樹脂発泡体などの発泡樹脂成形体で構成されている。特に、押出し発泡成形や金型を用いた型内発泡成形などにより成形した、ポリスチレン系樹脂からなる発泡体は、断熱性や強度剛性、更にはコストパフォーマンスに優れていることから好適である。床小梁断熱材２１の密度は、床小梁１４における断熱性能を十分に確保するため、５ｋｇ／ｍ3〜２００ｋｇ／ｍ3、好ましくは１０ｋｇ／ｍ3〜５０ｋｇ／ｍ3、更に好ましくは１２ｋｇ／ｍ3〜２５ｋｇ／ｍ3に設定することになる。
【００２８】
床小梁断熱材２１は、床断熱材２２から下側へ露出する床小梁１４の両側面と下面とを覆うＵ形断面の被覆部２５と、被覆部２５の上端部から側方へ突出して床断熱材２２を下側から支持する支持部２６とを有している。被覆部２５は床小梁断熱材２１の全長にわたって連続的に設けられ、支持部２６も床小梁断熱材２１の全長にわたって連続的に設けられているが、支持部２６は床小梁断熱材２１の長さ方向に間隔をあけて間欠的に設けることもできる。但し、被覆部２５は、床小梁１４のうちの床断熱材２２から下側へ露出する部分を被覆可能な形状であれば、床断熱材２２と床小梁１４との高さ関係に応じて任意の断面形状に設定できる。例えば、床断熱材２２の下面と床小梁１４の下面とが略同じ高さの場合には、被覆部２５を平板状に形成し、また床断熱材２２の下面が床小梁１４の下面よりも下側に位置する場合には、倒立Ｕ形断面に形成することになる。
【００２９】
被覆部２５の上端部の内面には床小梁断熱材２１の全長にわたってテーパ面２９が形成され、床小梁１４に対してその下側から床小梁断熱材２１を容易に組み付けることができるように構成されている。但し、このテーパ面２９は省略することも可能である。
【００３０】
被覆部２５の厚さと支持部２６の厚さと被覆部２５から支持部２６までの長さＬは、それぞれ任意に設定可能であるが、被覆部２５の厚さは、薄すぎると十分な断熱性能が得られず、厚すぎると製作コストが高くなるとともに輸送時や保管時に嵩張ることから、３ｍｍ以上、２００ｍｍ以下に、好ましくは５ｍｍ〜１００ｍｍ、更に好ましくは１０ｍｍ〜５０ｍｍに設定することが好ましい。また、支持部２６の厚さは、薄すぎると床断熱材２２の支持強度が十分に得られず、厚すぎると製作コストが高くなるとともに輸送時や保管時に嵩張ることから、３ｍｍ以上、２００ｍｍ以下に、好ましくは５ｍｍ〜１００ｍｍ、更に好ましくは１０ｍｍ〜５０ｍｍに設定することが好ましい。更に、被覆部２５からの支持部２６の突出長さＬは、短すぎると床断熱材２２の支持強度が低下し、長すぎると基部の破損が懸念されるので、３ｍｍ以上、１５０ｍｍ以下、好ましくは５ｍｍ〜７０ｍｍ、更に好ましくは１０ｍｍ〜３０ｍｍに設定することが好ましい。
【００３１】
床小梁１４に対する床小梁断熱材２１の固定は、被覆部２５の底部をビス等で床小梁１４に固定したり、被覆部２５の内面に接着剤を塗布して床小梁１４に接着したり、被覆部２５の内面に予め両面テープを付着させ、施工時に両面テープの剥離紙を引き剥がして、両面テープで床小梁１４に付着させるなど、任意の固定方法で固定することができる。
【００３２】
支持部２６の上面には床断熱材２２の下面に当接する突起２４が形成され、突起２４に対して床断熱材２２を載置した状態では、床断熱材２２の上面が床小梁１４の上面よりもやや高い位置に配置され、床断熱材２２上に床下地パネル２３を敷設した状態で、床下地パネル２３での押圧等により突起２４が床断熱材２２にめり込んで、床断熱材２２の上面と床小梁１４の上面とが面一になるように構成されている。このように、突起２４を床断熱材２２にめり込ませることで、床断熱材２２及び突起２４の素材の弾性を利用して、床断熱材２２の上面を床下地パネル２３の下面に略隙間なく密接できるように構成されている。
【００３３】
突起２４の高さＨは、２ｍｍ〜１０ｍｍに設定され、突起２４の個数及び突起２４の上面の面積は、突起２４上に床断熱材２２を載置しただけ、即ち床断熱材２２の自重だけでは、突起２４に対して床断熱材２２がほとんどめり込まず、床断熱材２２上に床下地パネル２３を載置して、床断熱材２２と床下地パネル２３の重さや床下地パネル２３での押圧力等が作用すると、突起２４に対して床断熱材２２がめり込むような個数及び面積に設定することになる。突起２４の平面形状は任意に設定可能で、小判形や円形や楕円形、長方形や正方形などの形状に設定することができる。但し、この突起２４は省略することも可能である。
【００３４】
床断熱材２２は、ポリスチレン系樹脂発泡体、ポリプロピレン系樹脂発泡体、ポリエチレン系樹脂発泡体、ポリウレタン系発泡体、フェノール系樹脂発泡体などからなる、平板状の発泡体で構成するのが好ましい。特に、押出し発泡成形や金型を用いた型内発泡成形などにより成形した、ポリスチレン系樹脂からなる発泡体は、断熱性や強度剛性、更にはコストパフォーマンスに優れていることから好適である。床小梁断熱材２１と床断熱材２２とは同種の素材で構成することも可能であるし、異種の素材で構成することも可能である。尚、床断熱材２２として、前記以外にグラスウール、ロックウール、ポリエチレンテレフタレートウールも使用することができる。但し、これらの素材は下方に垂れ下がる傾向があるので、支持部２６を長くしたり、対向する支持部間にプラスチック段ボールその他の板状体を渡したりするなど、下方への変形を防止する手段を併用することが求められる。
【００３５】
床断熱材２２の密度は、床断熱構造２０の断熱性能を十分に確保するため、５ｋｇ／ｍ3〜２００ｋｇ／ｍ3、好ましくは１０ｋｇ／ｍ3〜５０ｋｇ／ｍ3、更に好ましくは１２ｋｇ／ｍ3〜２５ｋｇ／ｍ3に設定することになる。また、床断熱材２２の厚さは、任意に設定可能であるが、製作コストの上昇を抑えつつ、断熱性能を十分に確保するため、１５ｍｍ以上、１２０ｍｍ以下に設定するのが好ましい。床断熱材２２の縦横の長さは、隣接配置される床小梁１４間に適合する長さに設定され、床小梁１４間に床断熱材２２を略隙間なく敷設配置できるように構成されている。
【００３６】
床断熱材２２の幅は隣接する床小梁１４間の間隔よりも多少大きく設定され、隣接する床小梁１４間に対する床断熱材２２の装填性を確保するため、床断熱材２２の側部の下端部にはテーパ面２７が形成されている。また、床断熱材２２の側部における素材の弾性変形を促進するため、床断熱材２２の上面側から厚さ方向の途中部まで延びるスリット２８が形成され、床断熱材２２を隣接する床小梁１４間に装着した状態で、床断熱材２２の側面が素材の弾性変形により床小梁１４の側面に隙間なく密接して、床断熱構造２０の断熱性能が高められるように構成されている。但し、テーパ面２７は省略することもできる。また、スリット２８は、床断熱材２２の下面側から厚さ方向の途中部まで延びるように形成することもできるし、上面側から厚さ方向の途中部まで延びるスリット２８と、下面側から厚さ方向の途中部まで延びるスリットを組み合わせて形成することも可能である。また、このようなスリット２８は、床小梁１４に対する床断熱材２２の密着性を高める上で設けることが好ましいが省略することもできる。更に、スリット２８を設ける場合には、図２に示すように、床小梁断熱材２１の支持部２６をスリット２８よりも床断熱材２２の中央部側へ延ばし、支持部２６により床断熱材２２に作用する荷重を受け止めて、スリット２８において床断熱材２２が破損しないように構成することもできる。スリット２８の幅や深さは、床断熱材２２上に作用する荷重を考慮して、適宜に設定することになる。
【００３７】
次に、床断熱構造２０の施工方法について説明する。
先ず、図３に示すように、金属製の床小梁１４に対してその下側から床小梁断熱材２１の被覆部２５を嵌合させて、被覆部２５をビスや接着剤や両面テープで床小梁１４に外嵌状に固定することで、複数の床小梁１４に対して床小梁断熱材２１を順次固定する。
【００３８】
次に、隣接する床小梁１４間において床小梁断熱材２１の支持部２６上に、床断熱材２２の両側部をそれぞれ載置して、床小梁１４間に床断熱材２２を上側から装着する。このとき、床断熱材２２の側面は、素材の弾性により床小梁１４の側面に略隙間なく密接し、また床断熱材２２は支持部２６に設けた突起２４に支持されることで、その上面が床小梁１４の上面よりもやや高い位置に配置されることになる。
【００３９】
次に、床鳴り防止のため隣接する床下地パネル２３間に５ｍｍ以下程度の隙間をあけて、床断熱材２２及び床小梁１４の上側に床下地パネル２３を敷設する。このとき、床断熱材２２の上面は、前述のように床小梁１４の上面よりもやや高い位置に配置されているので、床断熱材２２は、床下地パネル２３が床小梁１４で受け止められるまで、床下地パネル２３で押し下げられる。そして、支持部２６の突起２４が床断熱材２２にめり込むことによる反力で、床下地パネル２３の下面が床断熱材２２の上面に圧接され、床下地パネル２３が床断熱材２２及び床小梁１４に対して略隙間なく密接した状態で敷設される。
【００４０】
こうして、床下地パネル２３を敷設してから、床下地パネル２３をビス等で床小梁１４に固定し、その上側に床仕上げ材を敷設して釘等で固定し、床断熱構造２０を施工することになる。
【００４１】
このように、この第１の床断熱構造２０では、床断熱材２２の上面が床下地パネル２３の下面に略隙間なく密接されるとともに、床断熱材２２の側面が床小梁１４に略隙間なく密接されるので、隣接する床小梁１４間における断熱性能が十分に確保されることになる。また、床断熱材２２から下側へ突出する床小梁１４の下半部が床小梁断熱材２１で覆われるので、床小梁１４における断熱性能も十分に確保されることになる。
【００４２】
尚、図４に示す床断熱構造２０Ａのように、床小梁断熱材２１に代えて、被覆部２５Ａを少し厚肉に構成するとともに、支持部２６を省略した床小梁断熱材２１Ａを用い、被覆部２５Ａの上面に床断熱材２２の下面側部を受け止める支持部２６Ａを形成することもできる。下壁部と側壁部とは同じ厚さに設定してもよいが、異なる厚さに設定することも可能で、下壁部を側壁部よりも薄肉に構成すると、使用材料を極力少なくできるので好ましい。この床断熱構造２０Ａでは、被覆部２５Ａは、その側方へ突出する支持部２６が形成されないので、床小梁断熱材２１の輸送性や保管性を向上できる。
【００４３】
次に、前記床断熱構造２０の構成の部分的に変更した第２の実施の形態について説明する。尚、前記実施の形態と同一部材には同一符号を付してその詳細な説明を省略する。
【００４４】
この第２の床断熱構造３０は、前記床断熱構造２０における、床小梁断熱材２１を省略し、床断熱材２２に代えて、隣接する床小梁１４間に配置される本体部３１と、本体部３１から下側へ露出する床小梁１４の下部を覆う被覆部３２、３３とを有する発泡樹脂成形体からなる床断熱材３４を用いたものである。
【００４５】
床断熱材３４は、前記床断熱材２２と同様の発泡樹脂成形体で構成され、本体部３１は、隣接する床小梁１４間を閉塞する平板状に形成され、本体部３１の一側部には第１被覆部３２が形成され、本体部３１の他側部には第２被覆部３３が形成されている。第１被覆部３２は、床小梁１４の側面に沿ってその下端部まで延びる側壁部３２ａで構成され、第２被覆部３３は、床小梁１４の側面に沿ってその下端部まで延びる側壁部３３ａと、側壁部３３ａから床小梁１４の下面に沿って延び、隣接する床断熱材３４の第１被覆部３２における側壁部３２ａの下端部を支持する下壁部３３ｂとで構成されている。但し、両被覆部３２、３３は、床小梁１４のうちの本体部３１から下側へ露出する部分を被覆可能な形状であれば、本体部３１と床小梁１４との高さ関係に応じて任意の断面形状に設定できる。
【００４６】
本体部３１の幅は隣接する床小梁１４間の間隔よりも多少大きく設定され、本体部３１の長さは床小梁１４の長さと略同じに設定され、本体部を床小梁１４間に装填した状態で、本体部３１の側面は素材の弾性により隣接する床小梁１４の側面に略隙間なく圧接され、床小梁１４間の開口が略隙間なく閉塞されるように構成されている。また、隣接する床小梁１４間に対してその下側から、本体部３１を容易に装填できるようにするため、本体部３１の両側面の上部にはテーパ面３６が形成されている。床断熱材３４は、第２被覆部３３の下壁部３３ｂを床小梁１４に対して、ビスや接着剤や両面テープなどで固定することで、床小梁１４に固定されている。
【００４７】
側壁部３２ａ、３３ａ及び下壁部３３ｂの厚さは、任意に設定可能であるが、薄すぎると断熱性能を十分に確保できず、厚すぎると製作コストが高くなるので、３ｍｍ以上、２００ｍｍ以下に、好ましくは５ｍｍ〜１００ｍｍ、更に好ましくは１０ｍｍ〜５０ｍｍに設定することが好ましい。側壁部３２ａ、３３ａ及び下壁部３３ｂは同じ厚さに設定することもできるし、異なる厚さに設定することもできる。
【００４８】
第２被覆部３３の下壁部３３ｂの上面には隣接する床断熱材３４における第１被覆部３２の下端に当接する突起３５が形成され、隣接する床小梁１４間に下側から床断熱材３４を装着固定した状態では、突起３５により第１被覆部３２が上側へ押し上げられて、床断熱材３４の上面が第１被覆部３２側上がりに傾斜し、第１被覆部３２側の床断熱材３４の上面が床小梁１４の上面よりもやや高い位置に配置され、床断熱材３４上に床下地パネル２３を敷設した状態で、床下地パネル２３の押圧等により突起３５が第１被覆部３２にめり込んで、床断熱材３４の上面と床小梁１４の上面とが面一になるように構成されている。このように、突起３５を床断熱材３４にめり込ませることで、床断熱材３４及び突起３５の素材の弾性を利用して、床断熱材３４の上面を床下地パネル２３の下面に略隙間なく密接できるように構成されている。
【００４９】
突起３５の高さは、前記突起２４と同様に、２ｍｍ〜１０ｍｍに設定され、突起３５の個数及び突起３５の上面の面積は、突起３５上に床断熱材３４を載置しただけ、即ち床断熱材３４の自重だけでは、突起３５に対して床断熱材３４がほとんどめり込まず、床断熱材３４上に床下地パネル２３を載置して、床断熱材３４と床下地パネル２３の重さや床下地パネル２３での押圧力等が作用すると、突起３５に対して床断熱材３４がめり込むような個数及び面積に設定することになる。突起３５の平面形状は任意に設定可能で、小判形や円形や楕円形、長方形や正方形などの形状に設定することができる。但し、この突起３５は省略することも可能である。
【００５０】
次に、床断熱構造３０の施工方法について説明する。
先ず、図５に示すように、金属製の床小梁１４に対してその下側から床断熱材３４の本体部３１を装填するとともに、第２被覆部３３の下壁部３３ｂを床小梁１４に対してビスや接着剤や両面テープで固定する。このとき、本体部３１の側面は、素材の弾性により床小梁１４の側面に略隙間なく密接し、また下壁部３３ｂの突起３５で隣接する第１被覆部３２が押し上げられて、床断熱材３４の上面が第１被覆部３２側上がりの緩傾斜状となって、第１被覆部３２側の床断熱材３４の上面が床小梁１４の上面よりも多少高い位置に配置されることになる。
【００５１】
次に、床鳴り防止のため隣接する床下地パネル２３間に５ｍｍ以下程度の隙間をあけて、床断熱材３４及び床小梁１４の上側に床下地パネル２３を敷設する。このとき、床下地パネル２３の押圧等により、床断熱材３４に突起３５が第１被覆部３２にめり込んで、床断熱材３４の上面が床下地パネル２３に密接した状態で、床断熱材３４が床小梁１４の上面の高さまで沈み込むので、床下地パネル２３は床断熱材３４及び床小梁１４に対して略隙間なく密接した状態で敷設されることになる。また、床下地パネル２３を敷設した状態で、第１被覆部３２と第２被覆部３３とで床小梁１４の下半部が覆われて、床小梁１４における断熱性能が十分に確保されることになる。
【００５２】
こうして、床下地パネル２３を敷設してから、床下地パネル２３をビスで床小梁１４に固定し、その上側に床仕上げ材を釘等で固定して、床断熱構造３０を施工することになる。
【００５３】
このように、この第２の床断熱構造３０では、床断熱材３４の本体部３１の上面が床下地パネル２３の下面に略隙間なく密接されるとともに、床断熱材３４の本体部３１の側面が床小梁１４に略隙間なく密接されるので、隣接する床小梁１４間における断熱性能が十分に確保されることになる。また、本体部３１から下側へ突出する床小梁１４の下半部が被覆部３２、３３で覆われるので、床小梁１４における断熱性能も十分に確保されることになる。しかも、床断熱材３４に被覆部３２、３３を一体的に形成しているので、床断熱構造３０の部品点数を少なくして、その施工性を向上できる。
【００５４】
尚、図６に示す床断熱構造３０Ａのように、床断熱材３４に代えて、前記本体部３１の両側部に被覆部３２Ａ、３３Ａを設けた床断熱材３４Ａを用い、被覆部３２Ａ、３３Ａに床小梁１４の側面に沿ってその下端部まで延びる側壁部３２Ａａ、３３Ａａと、側壁部３２Ａａ、３３Ａａから床小梁１４の下面に沿ってその途中部まで延びる下壁部３２Ａｂ、３３Ａｂとをそれぞれ設けるとともに、下壁部３２Ａｂ、３３Ａｂの遊端部に、隣接する床断熱材３４Ａの下壁部３２Ａｂ、３３Ａｂの遊端部に組み合わされる合决りなどからなる嵌合部４０、４１を形成することもできる。この場合には、両被覆部３２Ａ、３３Ａの本体部３１からの突出長さを略同じに設定することで、被覆部３２Ａ、３３Ａの突出長さを極力短く設定してその破損を防止することができる。
【図面の簡単な説明】
【００５５】
【図１】床下地パネルを取り除いた状態での第１床断熱構造の平面図
【図２】床下地パネルを敷設した状態での図１のII-II線断面図
【図３】図２の床断熱構造の分解状態での縦断面図
【図４】同床断熱構造における他の構成の縦断面図
【図５】第２床断熱構造の縦断面図
【図６】同床断熱構造における他の構成の縦断面図
【符号の説明】
【００５６】
１０    建物ユニット        １１    妻床梁
１２    桁床梁              １３    床フレーム
１４    床小梁              １５    柱
２０    床断熱構造          ２１    床小梁断熱材
２２    床断熱材            ２３    床下地パネル
２４    突起                ２５    被覆部
２６    支持部              ２７    テーパ面
２８    スリット            ２９    テーパ面
２０Ａ  床断熱構造          ２１Ａ  床小梁断熱材
２５Ａ  被覆部              ２６Ａ  支持部
３０    床断熱構造          ３１    本体部
３２    第１被覆部          ３２ａ  側壁部
３３    第２被覆部          ３３ａ  側壁部
３３ｂ  下壁部              ３４    床断熱材
３５    突起                ３６    テーパ面
３０Ａ    床断熱構造        ３２Ａ    第１被覆部
３２Ａａ  側壁部            ３２Ａｂ  下壁部
３３Ａ    第２被覆部        ３３Ａａ  側壁部
３３Ａｂ  下壁部            ３４Ａ    床断熱材
４０      嵌合部
【図１】
2007321532.tif 000003
【図２】
2007321532.tif 000004
【図３】
2007321532.tif 000005
【図４】
2007321532.tif 000006
【図５】
2007321532.tif 000007
【図６】
2007321532.tif 000008